【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
データ送信システムにおける第一および第二のケーブル間のクロストークを低減する方法であって、各ケーブルは、一対の導体を備えており、
該第一のケーブルの該一対の導体の第一の導体と相互接続される第一のコンタクトを提供し、前記第一のコンタクトは、第一の信号を発するステップと、
一対のコンタクトを提供し、前記一対のコンタクトの各々は、該第二のケーブルの該一対の導体の異なる導体と相互接続されるステップと、
前記第二の対のコンタクトの一方で受信される前記第一の信号の振幅が、前記第二の対のコンタクトの他方で受信される前記第一の信号の振幅と実質的に同じになるように、前記一対のコンタクトに対して前記第一のコンタクトを位置決めするステップと
を備える方法。
【請求項２】
該第一のケーブルの該一対の導体の第二の導体と相互接続される第二のコンタクトを提供し、前記第二のコンタクトは、第二の信号を発信するステップと、前記第二の対のコンタクトの一方で受信される前記第二の信号の振幅が、前記第二の対のコンタクトの他方で受信される前記第二の信号の振幅と実質的に同じになるように、前記一対のコンタクトに対して前記第二のコンタクトを位置決めするステップをさらに備える請求項１に記載の方法。
【請求項３】
前記コンタクトの各々は、実質的に平坦であり、かつ前記位置決めステップは、前記第一のコンタクトの横長の面が前記一対のコンタクトの各々の横長の面に垂直となるような前記コンタクトの配向を備える請求項１に記載の方法。
【請求項４】
前記位置決めステップは、前記第一のコンタクトの周りへの前記一対のコンタクトの対称的な配置を備える請求項１に記載の方法。
【請求項５】
前記位置決めステップは、前記一対のコンタクトの各々から同じ距離への前記第一のコンタクトの配置を備える請求項１に記載の方法。
【請求項６】
前記一対のコンタクトの各々は実質的に平坦であり、前記位置決めステップは、前記一対のコンタクトのいずれかの横長の面への法線が、前記第一のコンタクトと交差しないような前記第一のコンタクトの配置を備える請求項１に記載の方法。
【請求項７】
データ送信システムにおける第一および第二のケーブル間のクロストークを低減する方法であって、該ケーブルの各々は、一対の導体を備え、
一対の導体を提供し、前記一対のコンタクトの各々は、該第一のケーブルの該一対の導体の異なる導体と相互接続され、前記一対の導体の一方が、前記一対のコンタクトの他方が発する第二の信号を実質的に反転させた第一の信号を発するステップと、
該第二のケーブルの該一対の導体の一方と相互接続される少なくとも一つの第一のコンタクトを提供するステップと、
前記第一のコンタクトが受信する前記第一の信号の振幅が、前記第一のコンタクトが受信する前記第二の信号の振幅と実質的に反対となるように、前記第一のコンタクトに対して前記一対のコンタクトを位置決めするステップと
を備える方法。
【請求項８】
通信システムにおいて第一および第二のケーブルを終端する組み立て体であって、各ケーブルは第一および第二の導体を備え、
該第一のケーブルの第一の導体と相互接続される第一のコンタクトであって、第一の信号を発信する前記第一のコンタクトと、
該第二のケーブルの第一および第二の導体の一方とそれぞれ相互接続される一対のコンタクトと
を備え、前記一対の導体の一方で受信される前記第一の信号の振幅が、前記一対のコンタクトの他方で受信される前記第一の信号の振幅と実質的に同じになるように、前記第一のコンタクトが前記一対のコンタクトに対して位置決めされる組み立て体。
【請求項９】
該第一のケーブルの第二の導体と相互接続される第二のコンタクトをさらに備え、前記第二のコンタクトは第二の信号を発信し、かつ前記一対のコンタクトの一方で受信される前記第二の信号の振幅が、前記一対のコンタクトの他方で受信される前記第二の信号の振幅と実質的に同じになるように、前記第二のコンタクトが前記一対のコンタクトに対して位置決めされる請求項８に記載の組み立て体。
【請求項１０】
前記第一および第二のコンタクトが実質的に平坦であり、かつ前記第一のコンタクトの横長の面が前記第二のコンタクトの横長の面と並行である請求項９に記載の組み立て体。
【請求項１１】
前記第一のコンタクトの前記横長の面が前記第二のコンタクトの前記横長の面と反対側に配置される請求項１０に記載の組み立て体。
【請求項１２】
前記一対のコンタクトが実質的に平坦であり、かつさらに前記第一のコンタクトの前記横長の面と前記第二のコンタクトの前記横長の面とが前記一対のコンタクトのいずれかの横長の面に対して直角をなす請求項１０に記載の組み立て体。
【請求項１３】
前記コンタクトが該組み立て体の第一の面上に配置され、かつその第二の面に成型されるケーブルプラグを受け入れるのに適した複数のソケットを備え、前記ソケットの一番目と二番目がその中に配置される複数のコネクタブレードを備え、前記第一のソケットの前記ブレードの一つが前記第一のコンタクトと相互接続され、かつ前記第二のソケットの一対のブレードがそれぞれ前記一対のコンタクトの一つと相互接続される請求項８に記載の組み立て体。
【請求項１４】
さらにパッチパネルを備え、かつ前記第一のコンタクトが第一のモジュラーコネクタの第一の面に配置され、前記一対のコンタクトが第二のモジュラーコネクタの第一の面に配置され、前記コネクタは該パッチパネルに挿入されるように適合されている請求項８に記載の組み立て体。
【請求項１５】
前記コネクタは前記パッチパネルにおいて横に並べて配置される請求項１４に記載の組み立て体。
【請求項１６】
前記コネクタは前記パッチパネルにおいて上下に重ねて配置される請求項１４に記載の組み立て体。
【請求項１７】
前記コネクタの各々は、その第二の面上に成型されるケーブルプラグを受け入れるように適合されるソケットをさらに備え、前記ソケットの各々は、その中に配置される複数のコネクタブレードを有し、前記第一のコネクタの前記ソケットの前記ブレードの一つは前記第一のコンタクトと相互接続され、かつ前記第二のコネクタの前記ソケットの一対のブレードはそれぞれ前記第二の対のコンタクトの一つと相互接続される請求項１４に記載の組み立て体。
【請求項１８】
前記一対のコンタクトが、前記第一のコンタクトの周りに対称的に位置付けられる請求項８に記載の組み立て体。
【請求項１９】
前記コンタクトが実質的に平坦であり、かつ前記第一のコンタクトが前記一対のコンタクトに対して直角をなす請求項８に記載の組み立て体。
【請求項２０】
前記一対の平坦なコンタクトは、並行に配置される請求項１９に記載の組み立て体。
【請求項２１】
前記一対の平坦なコンタクトは、同一平面に横たわる請求項１９に記載の組み立て体。
【請求項２２】
通信システムにおける第一および第二のケーブルを終端する組み立て体であって、各ケーブルが一対の導体を備え、
第一のケーブルの該一対の導体と相互接続される一対のコンタクトであって、前記一対のコンタクトの一方は、前記一対のコンタクトの他方が発信する第二の信号を実質的に反転させた第一の信号を発信する一対のコンタクトと、
第二のケーブルの該一対の導体の第一の導体と相互接続される第一のコンタクトと
を備え、前記第一のコンタクトが受信する前記第一の信号の振幅が、前記第一のコンタクトが受信する前記第二の信号の振幅と実質的に反対となるように、前記一対のコンタクトが前記第一のコンタクトに対して位置付けられる組み立て体。
【請求項２３】
データ送信システムにおけるクロストークを低減する方法であって、
少なくとも一つの第一の導体を備える第一の送信路を提供し、前記第一の導体は信号を発信するステップと、
第二の対の導体を備える第二の送信路を提供するステップと、
前記第二の対の導体の一方に沿って受信される前記信号の振幅が、前記第二の対の導体の他方に沿って受信される前記信号の振幅と実質的に同じになるように、前記第二の対の導体に対して前記第一の導体を位置付けるステップと
を備える方法。
【請求項２４】
前記導体の各々が印刷回路基板（ＰＣＢ）上にエッチングされた導体跡を備える請求項２３に記載の方法。
【請求項２５】
前記第一および第二の送信路をケーブルの筐体で取り囲むステップをさらに備える請求項２３に記載の方法。
【請求項２６】
データ送信システムにおいてクロストークを低減する方法であって、
第一の導体を備える第一の送信路を提供し、
一対の導体を備える第二の送信路を提供し、前記一対の導体の一方は、前記一対の導体の他方が発信する第二の信号を実質的に反転させた第一の信号を発信するステップと、
前記第一の導体が受信する前記第一の信号の振幅が、前記第一の導体が受信する前記第二の信号の振幅と実質的に反対になるように前記第一の導体に対して前記一対の導体を位置付けするステップと
を備える方法。
【請求項２７】
データを送信する組み立て体であって、
第一の導体を備える第一の送信路であって、前記第一の導体は第一の信号を発信する第一の送信路と、
一対の導体を備える第二の送信路と
を備え、前記一対の導体の一方に沿って受信される前記第一の信号の振幅は、前記一対の導体の他方に沿って受信される前記第一の信号の振幅と実質的に同じになるように、前記第一の導体が前記一対の導体に対して位置付けされる組み立て体。
【請求項２８】
データを送信する組み立て体であって、
第一の導体を備える第一の送信路と、
一対の導体を備える第二の送信路であって、前記一対の導体の一方が、前記一対の導体の他方が発信する第二の信号を実質的に反転させた第一の信号を発信する第二の送信路と
を備え、前記第一の導体によって受信される前記第一の信号の振幅が、前記第一の導体が受信する前記第二の信号の振幅と実質的に反対になるように、前記第一の導体が前記一対の導体に対して位置付けられる組み立て体。
【請求項２９】
データ送信ケーブルであって、
第一の平面上に配列される並行な第一の対の導体と、
第二の平面上に配列される第二の対の導体と
を備え、前記第一の平面は前記第二の平面に対し実質的に直角であって、かつ前記第一の平面は、実質的に導体の前記第二の対の間にある軸に沿って前記第二の平面と交差するデータ送信ケーブル。
【請求項３０】
前記第一の対の導体間の間隔は、前記第二の対の導体間の間隔に実質的に等しい請求項２９に記載のケーブル。
【請求項３１】
前記第一の平面に実質的に並行な第三の面上に配列される並行な第三の対の導体および前記第二の平面に実質的に並行な第四の平面上に配列される並行な第四の対の導体をさらに備え、前記第三の平面が、実質的に前記第四の対の導体の間にある軸に沿って前記第四の平面と交差する請求項２９に記載のケーブル。
【請求項３２】
前記第二の平面が、実質的に前記第三の対の導体の間にある軸に沿って前記第三の平面と交差し、かつ前記第四の平面が、実質的に前記第一の対の導体の間にある軸に沿って前記第一の平面と交差する請求項３１に記載のケーブル。
【請求項３３】
前記一対の導体が、該ケーブルに沿って走る中央軸の周りに配置され、かつさらに、前記平面は該ケーブルの長さに沿った前記軸の周りに螺旋状に曲がっている請求項３２に記載のケーブル。
【請求項３４】
前記一対の導体を分離するセパレータースプラインをさらに備える請求項３２に記載のケーブル。
【請求項３５】
前記スプラインは卍型の横断面を有する請求項３４に記載のケーブル。
【請求項３６】
前記導体は実質的に平坦な横断面を有し、かつさらに、前記第一の対の導体の前記平坦な横断面が前記第一の平面と整列され、かつ前記第二の対の導体の前記平坦な横断面が前記第一の平面と整列される請求項２９に記載のケーブル。